(57)【特許請求の範囲】
【請求項１】
大容量記録媒体を介してデータの記録及び／又は再生を行う第１の記録／再生手段と、高速アクセス可能な記録媒体を介してデータの記録及び／又は再生を行う第２の記録／再生手段と、データの記録及び／又は再生を行うに当たり、先頭部分のデータを上記第２の記録／再生手段により高速アクセス可能な記録媒体を介して記録及び／又は再生し、上記先頭部分に続くデータを上記第１の記録／再生手段により大容量記録媒体を介して記録及び／又は再生するように、上記第１及び第２の記録／再生手段の動作を切り換える制御手段を備え、
上記制御手段は、上記先頭部分のデータと該先頭部分に続くデータを一部重複させて高速アクセス可能な記録媒体と大容量記録媒体に記録するように上記第１及び第２の記録／再生手段の動作を切り換え、上記第１の記録／再生手段によりプログラム全体を記録し、上記第２の記録／再生手段によりプログラムの先頭部を記録して、上記第１及び第２の記録／再生手段によりデータのシームレスな記録及び／又は再生を行うことを特徴とする記録／再生装置。
【請求項２】
上記第２の記録／再生手段により記録するプログラムの先頭部の長さは、上記第１の記録／再生手段による記録の際に最も時間のかかる高速アクセス時間に若干のマージンを加えた量とすることを特徴とする請求項１記載の記録／再生装置。
【請求項３】
上記制御手段によりデータの書き込み及び読み出しが制御され、上記第１及び第２の記録／再生手段により記録及び／又は再生されるデータを一次的に蓄えるバッファメモリを備え、上記第１及び第２の記録／再生手段によりデータのシームレスな記録及び／又は再生を上記バッファメモリを介して行うことを特徴とする請求項１記載の記録／再生装置。
【請求項４】
大容量記録媒体を介してデータの記録及び／又は再生を行う第１の記録／再生手段と、高速アクセス可能な記録媒体を介してデータの記録及び／又は再生を行う第２の記録／再生手段の動作を記録及び／又は再生を行うデータに付加された時間情報に基づいて切り換えて、先頭部分のデータを上記高速アクセス可能な記録媒体を介して記録及び／又は再生を行い、上記先頭部分に続くデータを大容量記録媒体を介して記録及び／又は再生を行い、上記データのシームレスな記録及び／又は再生を行う記録／再生方法であって、
上記先頭部分のデータと該先頭部分に続くデータを一部重複させて高速アクセス可能な記録媒体と大容量記録媒体に記録するように上記第１及び第２の記録／再生手段の動作を切り換え、上記第１の記録／再生手段によりプログラム全体を記録し、上記第２の記録／再生手段によりプログラムの先頭部を記録して、上記データのシームレスな記録及び／又は再生を行うことを特徴とする記録／再生方法。
【発明の詳細な説明】
【０００１】
【発明の属する技術分野】
本発明は、例えばビデオテープレコーダ等の大容量記録媒体を介してデータの記録及び／又は再生を行う第１の記録／再生装置と、ハードディスクドライブや半導体メモリ等の高速アクセス可能な記録媒体を介してデータの記録及び／又は再生を行う第２の記録／再生装置を併用して、データのシームレスな記録及び／又は再生を行う記録／再生装置及び記録／再生方法に関する。
【０００２】
【従来の技術】
従来から映像音声記録装置としては、磁気テープを記録媒体としたビデオテープレコーダ（以下、ＶＴＲという。）が広く普及している。このＶＴＲは、磁気ディスク装置と比較して記憶容量が大きく、情報量の極めて多い映像信号の長時間の記録が可能であるという優れた特徴を持つ。しかし、例えばハードディスクドライブ（以下、ＨＤＤという。）や半導体メモリ等と比較すると、ＶＴＲは、記憶容量の面では格段に優れているが、ランダムアクセスができないという欠点を有している。したがって、従来のＶＴＲにおいては、記録した番組を再生する際、テープを所定の部分まで巻き戻すための待ち時間が必要であった。
【０００３】
そこで、長時間のデータの記録及び／又は再生を連続的に行うには、記憶容量が大容量のＶＴＲが用いられ、さらに、データの記録及び／又は再生を同時に行うには、高速アクセス性に優れる例えばＨＤＤや半導体メモリ等が用いられていた。
【０００４】
【発明が解決しようとする課題】
ところで、記録／再生装置における高速アクセス性の向上と記憶容量の大容量化は、トレードオフの関係になっており、従来、高速アクセス性と大容量を同時に満たすことはできないでいた。従来、高速アクセス可能なディスクメディアと大容量のテープメディアを共に備えるシステムであっても、離散的なコンピュータデータなどはディスクメディアに記録し、連続的な映像や音楽等のデータはテープメディアに記録するなど、コンテンツの属性によってメディアを使い分けるようにしてたので、映像音楽情報を大量に蓄積でき、且つ頭出しなどを高速で行うことは困難であった。
【０００５】
そこで、本発明の目的は、テープ状記録媒体等の大容量記録媒体及びハードディスク等の高速アクセス可能な記録媒体を介してシームレスにデータの記録及び／又は再生を行うことができるようにした記録／再生装置及び記録／再生方法を提供することにある。
【０００６】
また、本発明の他の目的は、複数種類の記録媒体が使用されているということを意識せずに、高速アクセス及び／又はランダムアクセスが可能であり、しかも、大記憶容量で操作性の良好な記録／再生装置及び記録／再生方法を提供することにある。
【０００７】
【課題を解決するための手段】
本発明に係る記録／再生装置は、大容量記録媒体を介してデータの記録及び／又は再生を行う第１の記録／再生手段と、高速アクセス可能な記録媒体を介してデータの記録及び／又は再生を行う第２の記録／再生手段と、データの記録及び／又は再生を行うに当たり、先頭部分のデータを上記第２の記録／再生手段により高速アクセス可能な記録媒体を介して記録及び／又は再生し、上記先頭部分に続くデータを上記第１の記録／再生手段により大容量記録媒体を介して記録及び／又は再生するように、上記第１及び第２の記録／再生手段の動作を切り換える制御手段を備え、上記制御手段は、上記先頭部分のデータと該先頭部分に続くデータを一部重複させて高速アクセス可能な記録媒体と大容量記録媒体に記録するように上記第１及び第２の記録／再生手段の動作を切り換え、上記第１の記録／再生手段によりプログラム全体を記録し、上記第２の記録／再生手段によりプログラムの先頭部を記録して、上記第１及び第２の記録／再生手段によりデータのシームレスな記録及び／又は再生を行うことを特徴とする。
【０００８】
また、本発明は、大容量記録媒体を介してデータの記録及び／又は再生を行う第１の記録／再生手段と、高速アクセス可能な記録媒体を介してデータの記録及び／又は再生を行う第２の記録／再生手段の動作を記録及び／又は再生を行うデータに付加された時間情報に基づいて切り換えて、先頭部分のデータを上記高速アクセス可能な記録媒体を介して記録及び／又は再生を行い、上記先頭部分に続くデータを大容量記録媒体を介して記録及び／又は再生を行い、上記データのシームレスな記録及び／又は再生を行う記録／再生方法であって、上記先頭部分のデータと該先頭部分に続くデータを一部重複させて高速アクセス可能な記録媒体と大容量記録媒体に記録するように上記第１及び第２の記録／再生手段の動作を切り換え、上記第１の記録／再生手段によりプログラム全体を記録し、上記第２の記録／再生手段によりプログラムの先頭部を記録して、上記データのシームレスな記録及び／又は再生を行うことを特徴とする。
【０００９】
【発明の実施の形態】
以下、本発明の実施の形態について、図面を参照しながら詳細に説明する。
【００１０】
本発明は、例えば図１に示すような構成の記録／再生装置に適用される。
【００１１】
この図１に示した記録／再生装置１００は、映像音声信号（以下、ＡＶ信号という。）の記録／再生を行うもので、アナログ入出力用の第１の信号入出力端子１、デジタル入出用の第２の信号入出力端子２、上記第１の信号入出力端子１に接続されたエンコード／デコード部３、上記第２の信号入出力端子２とエンコード／デコード部３に接続された信号切り換え部４、上記信号切り換え部４に接続された時間情報付加部５、第１及び第２のバッファメモリ６，７並びに第１及び第２の時間情報検出部８，９、上記時間情報付加部５に接続された時間情報発生部１０、上記第１及び第２のバッファメモリ６，７に接続された第１及び第２の記録／再生部１１，１２、上記第１及び第２のバッファメモリ６，７や第１及び第２の記録／再生部１１，１２などを制御するシステムコントローラ１３、上記システムコントローラ１３に接続された同期検出部１４などを備える。
【００１２】
上記エンコード／デコード部３は、上記システムコントローラ１３により動作モードが切り換えられ、第１の信号入出力端子１を介して入出力されるアナログＡＶ信号について、記録モード時には入力ＡＶ信号を記録用のデジタルＡＶ信号にエンコードして上記信号切り換え部４に供給し、再生モードには上記信号切り換え部４から供給される再生デジタルＡＶ信号をデコードして上記第１の信号入出力端子１を介してアナログＡＶ信号を出力する。
【００１３】
また、上記信号切り換え部４は、上記第２の信号入出力端子２とエンコード／デコード部３とを切り換える第１の切り換えスイッチ４Ａと、上記第１及び第２のバッファメモリ６，７とを切り換える第２の切り換えスイッチ４Ｂからなる。上記第１の切り換えスイッチ４Ａは、アナログモード時にはエンコード／デコード部３を選択し、また、デジタルモード時には上記第２の信号入出力端子２を選択するように上記システムコントローラ１３により切り換え制御される。この第１の切り換えスイッチ４Ａの可動端子は、上記第２の切り換えスイッチ４Ｂの可動端子に接続されているとともに上記時間情報付加部５に接続されている。また、上記第２の切り換えスイッチ４Ｂは、再生モード時に上記第１及び第２の記録／再生部１１，１２から第１及び第２のバッファメモリ６，７を介して出力される再生デジタルＡＶ信号をシームレスに切り換えるように上記システムコントローラ１３に接続された同期検出部１４により切り換え制御される。
【００１４】
上記時間情報付加部５は、記録モード時に、上記信号切り換え部４の第１の切り換えスイッチ４Ａを介して供給される記録用のデジタルＡＶ信号に上記時間情報発生部１０により与えられる時間情報を付加し、この時間情報を付加したデジタルＡＶ信号を上記第１及び第２のバッファメモリ６，７に供給する。
【００１５】
上記第１及び第２のバッファメモリ６，７は、上記システムコントローラ１３によりデータの書き込み／読み出しが制御され、記録モード時には、上記時間情報付加部５により時間情報が付加されたデジタルＡＶ信号を蓄えて時間軸補正して上記第１及び第２の記録／再生部１１，１２に供給し、また、再生モード時には上記第１及び第２の記録／再生部１１，１２により得られる再生デジタルＡＶ信号を蓄えて時間軸補正して出力する。
【００１６】
上記第１の記録／再生部１１は、記憶容量の大きなテープメディアを記録媒体として用いて、デジタルＡＶ信号の記録／再生を行う例えばデジタルテープレコーダ(DVR：Digital Tape Recorder)からなり、その記録動作や再生動作が上記システムコントローラ１３により制御されるようになっている。
【００１７】
また、上記第２の記録／再生部１２は、高速アクセス性に優れたディスクメディアを記録媒体として用いて、デジタルＡＶ信号の記録／再生を行う例えばハードディスクドライブ(HDD：Hard Disk Drive)からなり、その記録動作や再生動作が上記システムコントローラ１３により制御されるようになっている。
【００１８】
上記第１及び第２の時間情報検出部８，９は、再生モード時に上記第１及び第２のバッファメモリ６，７を介して出力される再生デジタルＡＶ信号に付加されている時間情報を検出し、検出した時間情報を上記システムコントローラ１３に供給する。
【００１９】
上記システムコントローラ１３は、例えばＣＰＵ（Central Processing Unit）からなり、図示しないメモリから制御プログラムを読み込み、この読み込んだ制御プログラムに基づいて各種動作モードに応じた制御動作を行う。
【００２０】
すなわち、上記システムコントローラ１３は、この記録／再生装置１００で取り扱うＡＶ信号がアナログＡＶ信号であるかデジタルＡＶ信号であるを選択するモード設定に応じて、アナログモード時には上記エンコード／デコード部３を選択し、また、デジタルモード時には上記第２の信号入出力端子２を選択するように切り換え制御する。
【００２１】
そして、上記システムコントローラ１３は、記録モードが設定されると、上記エンコード／デコード部３をエンコーダとして機能させるとともに、上記時間情報付加部５により時間情報が付加された記録用のデジタルＡＶ信号を上記第１及び第２のバッファメモリ６，７を介して上記第１及び第２の記録／再生部１１，１２に供給するように、上記第１及び第２のバッファメモリ６，７に対するデジタルＡＶ信号の書き込み／読み出しを制御する。記録モード時には、上記システムコントローラ１３は、上記第１及び第２のバッファメモリ６，７に対するデジタルＡＶ信号の書き込み／読み出しを制御することにより、上記第１及び第２の記録／再生部１１，１２により記録できるようにデジタルＡＶ信号の時間軸補正を行う。また、上記システムコントローラ１３は、上記第１及び第２の記録／再生部１１，１２によるデジタルＡＶ信号の記録をシームレスに行うために、上記信号切り換え部４の第２の切り換えスイッチ４Ｂの切り換え制御及び上記第１及び第２の記録／再生部１１，１２の記録動作の切り換え制御を行い、例えば、図２に示すように、記憶容量の大きなテープメディアを記録媒体として用いる第１の記録／再生部１１により各プログラムＡ，Ｂ，Ｃ，Ｄ全体を記録し、高速アクセス性に優れたディスクメディアを記録媒体として用いる第２の記録／再生部１２により各プログラムＡ，Ｂ，Ｃ，Ｄの先頭部ａ，ｂ，ｃ，ｄを記録する。
【００２２】
第２の記録／再生部１２により記録するプログラムの先頭部分の長さは、第１の記録／再生部１１による記録の際に最も時間のかかる高速アクセス時間に若干のマージンを加えた量とする。
【００２３】
また、上記システムコントローラ１３は、再生モードが設定されると、上記エンコード／デコード部３をデコーダとして機能させるとともに、上記第１及び第２の記録／再生部１１，１２を再生動作状態にして、上記第１及び第２の記録／再生部１１，１２により得られる再生デジタルＡＶ信号を上記第１及び第２のバッファメモリ６，７を介して上記信号切り換え部４に供給するように、上記第１及び第２のバッファメモリ６，７に対するデジタルＡＶ信号の書き込み／読み出しを制御する。再生モード時には、上記システムコントローラ１３は、上記第１及び第２の時間情報検出部８，９により検出された各時間情報、すなわち、上記第１及び第２のバッファメモリ６，７を介して出力される再生デジタルＡＶ信号に付加されていた時間情報を監視して、上記第１及び第２の記録／再生部１１，１２により得られた再生デジタルＡＶ信号の時間間隔が記録時と同じになるように、上記第１及び第２のバッファメモリ６，７に対する再生デジタルＡＶ信号の書き込み／読み出しを制御する。そして、上記システムコントローラ１３により、上記信号切り換え部４の第２の切り換えスイッチ４Ｂの切り換え制御及び上記第１及び第２の記録／再生部１１，１２の再生動作の切り換え制御を行って、上記信号切り換え部４からシームレスな再生デジタルＡＶ信号を出力する。
【００２４】
この記録／再生装置１００において、例えば図３に示すように、上記第１の記録／再生部１１における初期テープ位置ＰinがプログラムＡの途中にあるときに、プログラムＣの再生要求があった場合、第１の記録／再生部１１では、初期テープ位置Ｐinからテープ上のプログラムＣはテープ位置が異なるため直ちに再生することはできず、プログラムＣのテープ位置まで高速アクセスして、プログラムＣの再生を行うことになる。そこで、第２の記録／再生部１２は、プログラムＣの先頭部ｃの再生を直ちに再生して第２のバッファメモリ７を介して出力する。そして、上記第１の記録／再生部１１は、第２の記録／再生部１２がプログラムＣの先頭部ｃを再生している期間中に、プログラムＣのテープ位置まで高速アクセスし、所定テープ位置Ｐpbに来たらプログラムＣの再生して、第１のバッファメモリ７を介して出力する。すなわち、上記システムコントローラ１３は、上記第１及び第２の記録／再生部１１，１２の動作モードを図４に示すように時間軸上で切り換えて、プログラムＣのシームレス再生を行う。
【００２５】
この記録／再生装置１００では、図５のフローチャートに示すような手順にしたがってシームレス再生を行う。
【００２６】
すなわち、この記録／再生装置１００における上記システムコントローラ１３は、例えばプログラムＣの再生要求に応じて再生モードに入ると、直ちに、第２の記録／再生部１２によりプログラムＣの先頭部ｃを再生し、上記プログラムＣの先頭部ｃのデータ列を第２のバッファメモリ７から信号切り換え部４を介して出力させる（ステップＳ１）。
【００２７】
次に、上記システムコントローラ１３は、高速サーチからテープを減速するテープ位置を把握して（ステップＳ２）、第１の記録／再生部１１により、高速サーチを行う（ステップＳ３）。
【００２８】
次に、上記システムコントローラ１３は、所定の減速位置に来たか否かを繰り返し判定し（ステップＳ４）、所定の減速位置に到達したら減速して（ステップＳ５）、予定時間待って再生データを第１のバッファメモリに蓄積する（ステップＳ６）。
【００２９】
すなわち、図６に示すように、プログラムＣのデータ列を番号（７，８，９・・・）とした場合に、上記システムコントローラ１３は、プログラムＣの再生要求に応じて、直ちに、第２の記録／再生部１２により再生したプログラムＣの先頭部ｃのデータ列（７，８，９・・・）を第２のバッファメモリ７を介して出力させ、その間に第１の記録／再生部１１によりプログラムＣのテープ位置まで高速アクセスして、プログラムＣのデータ列を例えば番号（１６）から再生を開始する。
【００３０】
次に、上記システムコントローラ１３は、上記第２のバッファメモリ７を介して出力される上記プログラムＣのデータ列の時間情報と上記第１のバッファメモリ７を介して出力される上記プログラムＣのデータ列の時間情報が一致したか否を判定する（ステップＳ７）。
【００３１】
このステップＳ４における判定がＮＯすなわち上記第１のバッファメモリ７を介して出力される上記プログラムＣのデータ列の時間情報と上記第２のバッファメモリ７を介して出力される上記プログラムＣのデータ列の時間情報と一致していない場合、上記システムコントローラ１３は、その時間情報の遅れ量又は進み量に応じて上記第１のバッファメモリ６に対するデータの読み出しを制御する（ステップＳ８）。そして、このステップＳ４における判定がＹＥＳすなわち上記第１のバッファメモリ７を介して出力される上記プログラムＣのデータ列の時間情報と上記第２のバッファメモリ７を介して出力される上記プログラムＣのデータ列の時間情報と一致したら、上記システムコントローラ１３は、その旨を示す信号を同期検出部１４に与えて、上記第１の記録／再生部１１から第１のバッファメモリ７を介して出力される上記プログラムＣのデータ列を再生デジタルＡＶ信号として出力するように、上記信号切り換え部４の第２の切り換えスイッチ４Ｂの切り換え制御を行う（ステップＳ９）。
【００３２】
その後、上記第２の記録／再生部１２によるプログラムＣの先頭部ｃの再生を停止させる（ステップＳ１０）。
【００３３】
このようなシームレス再生動作を行うためには、第１の記録／再生部１１によりテープの高速アクセスをして所定の位置に到達するまでの時間分に対応する先頭部分のデータを第２の記録／再生部１２によりディスクをアクセスして再生する必要がある。このシームレス再生動作に最低限必要な記録領域を最低記録領域(RDA:Requisite Data area for tape fast access)と呼ぶことにする。
【００３４】
ここで、上述の図２に示したような記録の仕方では、シームレス記録を行うことはできない。すなわち、例えば図７に示すように、テープ位置がプログラムＡの途中にあり、プログラムＢの後に記録を行う場合、テープをアクセスしている途中は、テープ上への記録ができない。テープをアクセスしている途中のデータはどこかに蓄えておき、あとでテープ上に挿入することも可能ではあるが、テープトラックのつなぎ目が連続に保てるように制御するのは容易ではない。
【００３５】
そこで、この記録／再生装置１００では、シームレス記録を行う場合、例えば図８に示すように、１つのプログラムＰを完全に先頭部ＰＡと先頭部ＰＡ以外の本体部ＰＢとに切り分けてしまい、第１の記録／再生部１１が高速アクセスしている最中は第２の記録／再生部１２により先頭部ＰＡを記録し、高速アクセスを終えたら第１の記録／再生部１１により本体部ＰＢを記録する。第２の記録／再生部１２により記録する先頭部ＰＡの長さは、第１の記録／再生部１１による最も時間のかかる高速アクセス時間と等しい。この方式により、例えば図９に示すように、テープ位置がプログラムＡの途中にあり、プログラムＢの後にプログラムＣの記録を行う場合、第２の記録／再生部１２により記録されたプログラムＢの先頭部ｂの後にプログラムＣの先頭部ｃを記録しており、その間に第１の記録／再生部１１が高速アクセスしてシームレス記録を行うことができる。
【００３６】
この方式では、１つのプログラムＰを完全に先頭部ＰＡと先頭部ＰＡ以外の本体部ＰＢとに切り分けてしまい、データを重複して記録することがないので、メディアの使用量は最少とすることができる。
【００３７】
また、上述の図８に示したように１つのプログラムＰを完全に先頭部ＰＡと先頭部ＰＡ以外の本体部ＰＢとに切り分けてしまうのではなく、図１０に示すように、第１の記録／再生部１１が高速アクセスしている最中に第２の記録／再生部１２により記録する先頭部ＰＡと、高速アクセスを終えたら第１の記録／再生部１１により記録する本体部ＰＢとに部分的に重複するデータ(RRD:Redundant Recording Data)を含む用にすれば、メディアの使用量は最少とならないが、切り換えマージンを確保して、再生時にシームレスな切り換えを確実に行うことができる。この場合、第２の記録／再生部１２により記録する先頭部ＰＡの長さは、第１の記録／再生部１１による最も時間のかかる高速アクセス時間にマージン分を付加した長さと等しい。
【００３８】
この記録／再生装置１００では、図１２のフローチャートに示すような手順にしたがってシームレス記録を行う。ここでは、例えば図１１に示すようにテープ位置がプログラムＡの途中にあり、ユーザがプログラムＢの後にプログラムＣを記録する場合を例にしてシームレス記録動作を説明する。
【００３９】
すなわち、この記録／再生装置１００における上記システムコントローラ１３は、プログラムＣの記録要求に応じて記録モードに入ると、直ちに、第２の記録／再生部１２の記録動作を開始させ、上記プログラムＣの先頭部ｃのデータ列を第２のバッファメモリ７を介してディスク側のプログラムＢの後に記録する（ステップＳ２１）。
【００４０】
次に、上記システムコントローラ１３は、テープ上でプログラムＢの終わりの位置を把握するとともに、高速サーチからテープを減速するテープ位置を把握して（ステップＳ２２）、第１の記録／再生部１１により高速サーチを行う（ステップＳ２３）。
【００４１】
次に、上記システムコントローラ１３は、所定の減速位置に来たか否かを繰り返し判定し（ステップＳ２４）、所定の減速位置に到達したら減速して（ステップＳ２５）、第１の記録／再生部１１によりテープを再生するとともに、記録すべきデータを第１のバッファメモリ６に蓄積する（ステップＳ２６）。
【００４２】
そして、上記システムコントローラ１３は、第１の記録／再生部１１によりテープを再生して上記プログラムＢの終わりの位置になったか否かを判定する（ステップＳ２７）。
【００４３】
このステップＳ２７における判定がＮＯすなわちテープ上で上記プログラムＢの終わりの位置に到達していない場合、上記システムコントローラ１３は、このステップＳ２７の判定処理を繰り返し行い、判定がＹＥＳすなわちテープ上で上記プログラムＢの終わりの位置に到達したら、上記第１のバッファメモリ６から所定のデータを読み出して第１の記録／再生部１１によりテープ上でプログラムＢの後にプログラムＣを記録させる（ステップＳ２８）。
【００４４】
そして、上記システムコントローラ１３は、ディスク側の所定の記録位置にきたら上記第２の記録／再生部１２によるプログラムＣの先頭部ｃの記録を終了する（ステップＳ２９）。
【００４５】
なお、この記録／再生装置１００では、図１３に示すように、テープ送りスピードＶ［ｍ／ｓ］が再生速度Ｖｐになってから、一定時間Ｔｒの再生で、シームレスな記録／再生のためのデータの準備ができるものとする。第１のバッファメモリ６には、第１の記録／再生装置１００におけるテープ上の目的のプログラムのテープ位置まで高速アクセスするアクセス機構の機械的なばらつきにより決まるＴready(worst)−Ｔready(best)時間分の記憶容量を最低限必要とする。上記第１の記録／再生装置１００におけるテープ位置の高速アクセス制御は、アクセス機構に対して高速アクセスの減速ポイントのみを管理し、目的位置近傍での微調整量を第１のバッファメモリ６よって吸収するようにする。
【００４６】
また、記録／再生するデータがＭＰＥＧトランスポートストリームである場合には、図１４に示すような構成の記録／再生装置２００により上記記録／再生装置１００と同様な動作を行うことができる。
【００４７】
すなわち、ＭＰＥＧトランスポートストリームには、時間情報を示すプログラム・クロック・リファレンス(PCR: Program Clock Reference)が含まれているので、このＰＣＲを検出することにより、上述の記録／再生装置１００における時間情報として用いる。
【００４８】
この図１４に示した記録／再生装置２００は、上記記録／再生装置１００における時間情報付加部５及び時間情報発生部１０を省略し、第１及び第２の時間情報検出部８，９に代えてＰＣＲ検出部２０８，２０９を用いたもので、他の構成要素は上記記録／再生装置１００と同じであるので、同一番号を図１４中に付し、その詳細な説明を省略する。
【００４９】
この記録／再生装置２００では、再生モード時に、システムコントローラ１３により、第１及び第２のＰＣＲ検出部２０８，２０９で検出されるＰＣＲを監視して、第１のバッファメモリ６の読み出しタイミングを制御し、記録時と同じ時間間隔に戻すとともに、上記第１及び第２のＰＣＲ検出部２０８，２０９で検出されるＰＣＲが一致するようにバッファコントロールを行って、シームレス再生を行う。
【００５０】
【発明の効果】
以上説明したように、本発明に係る記録再生装置及び記録再生方法によれば、テープ状記録媒体等の大容量記録媒体及びハードディスク等の高速アクセス可能な記録媒体を介してシームレスにデータの記録及び／又は再生を行うことができ、複数種類の記録媒体が使用されているということを意識せずに、高速アクセス及び／又はランダムアクセスが可能であり、大きな記憶容量を有する１種類の記録媒体を使用する場合と同様に操作することができ、操作性を向上することができる。
【図面の簡単な説明】
【図１】本発明を適用した記録／再生装置の構成を示すブロック図である。
【図２】上記記録／再生装置におけるデータの基本的な記録方法を模式的に示す図である。
【図３】上記記録／再生装置におけるデータのシームレス再生の方法を模式的に示す図である。
【図４】上記シームレス再生における第１及び第２の記録／再生部の動作モードを時間軸上で模式的に示す図である。
【図５】上記記録／再生装置におけるシームレス再生動作のアルゴリズムを示すフローチャートである。
【図６】上記記録／再生装置におけるシームレス再生動作の具体例を模式的に示す図である。
【図７】上記記録／再生装置においてシームレス記録する場合の問題点を模式的に示す図である。
【図８】上記記録／再生装置におけるデータのシームレス記録の基本的な方法を模式的に示す図である。
【図９】上記記録／再生装置におけるデータのシームレス記録の具体例を模式的に示す図である。
【図１０】上記記録／再生装置におけるデータのシームレス記録の他の基本的な方法を模式的に示す図である。
【図１１】上記記録／再生装置におけるデータのシームレス記録の具体例を模式的に示す図である。
【図１２】上記記録／再生装置におけるシームレス記録動作のアルゴリズムを示すフローチャートである。
【図１３】上記記録／再生装置におけるテープ送りの制御方法を模式的に示す図である。
【図１４】ＭＰＥＧトランスポートストリームを記録／再生する記録／再生装置の構成を示すブロック図である。
【符号の説明】
【図１】
0003921887.tif 000002
【図２】
0003921887.tif 000003
【図３】
0003921887.tif 000004
【図４】
0003921887.tif 000005
【図５】
0003921887.tif 000006
【図６】
0003921887.tif 000007
【図７】
0003921887.tif 000008
【図８】
0003921887.tif 000009
【図９】
0003921887.tif 000010
【図１０】
0003921887.tif 000011
【図１１】
0003921887.tif 000012
【図１２】
0003921887.tif 000013
【図１３】
0003921887.tif 000014
【図１４】
0003921887.tif 000015